(57)【特許請求の範囲】
【請求項１】
ブレスレットであって、
−  該ブレスレットをユーザーの手首の周囲に折畳み出来るように一体にヒンジ留めされた４ないしそれ以上のセグメントの複数群、
−  入力された情報を受信し且つ情報を表示するための表示信号を生成させるための情報処理装置、
−  該情報処理装置から派生された情報を表示するための表示装置、及び
−  入力装置との手動相互動作によって該情報処理装置への情報入力を行うための情報入力装置、
を含んで成る情報表示と入力機能を備え、さらに、
−  該ブレスレットの外表面は、該表示装置が占める領域と該入力装置が占める領域とを組み合わせて含んで成る情報交換領域であって、該ブレスレットの２つ以上のセグメント上を伸展する情報交換領域を有するものであり、
−  該ブレスレットのセグメントがヒンジ留めされて、該ブレスレットがユーザーの手首の周囲で折畳まれることが出来る第一の手首装着形状構成と該ブレスレットがユーザーによって平坦状に配置されて、該入力装置を経由した情報入力が行われる第二の平坦形状構成との間を該セグメントが移行可能にされており、
−  また、該情報交換領域は、該ブレスレットの全長方向に対して直角方向であって且つ該ブレスレットの全長の少なくとも１０％である幅員を有するものであり、
−  該セグメントの隣接する表面は、該第一の形状構成と該第二の形状構成の両方において突合せしていること
を特徴とするブレスレット。
【発明の詳細な説明】
【技術分野】
【０００１】
本発明は、情報表示と入力機能を備えたブレスレットに係わる。
【背景技術】
【０００２】
個人情報蓄積装置及び個人情報伝達装置、例えばパームトップコンピュータ、パーソナルオーガナイザー、ページャーや形態電話などにおいて種々の開発が行われた結果、コンピュータファシリティーを極小型化の、携帯容易な装置として使用することが可能となっている。このような装置を担持・携帯する方法及び好適には、キーボードによるか又はスタイラスやタッチスクリーンによる手動情報入力によってこれらの装置を操作する方法について多くの関心・注目が払われている。またインターネットへの、携帯可能な個人レベルでの接続法を提供する方法についても関心が集められている。本発明は、かかる装置の担持・携帯と貯蔵を容易にすること及び情報入力と情報表示のための便利な構成とに対する要求・要請に応えんとするものである。
【０００３】
今日の技術水準によれば、小型化された要素としての計算機能を、必要な通信とデータ貯蔵の機能を全て携帯容易な装置にまとめることが出来るような態様で提供することが容易に可能である。寸法・サイズの限界は、二つの機能、即ちユーザーへの情報表示及び処理装置への情報入力とによって課せられている。一方では、見易いための大型スクリーンや人間の指での操作が容易となる大型入力装置が必要であり、他方では小型の携帯可能な装置を提供し、利用に供させるという願望があり、このような相矛盾する要求は未だ解決されていない。このことは、現在市販されている極めて多様な解決策、例えばパーソナルオーガナイザー、多機能型携帯電話や計時機能に付加して幾つかの機能を有する腕時計などから見ても明らかである。これらの商品においても多くの異なる変型がある。パーソナルオーガナイザーの中には、機器構成を固定して、ウォレット大の装置の片面に表示スクリーンと入力装置を備えたものがある。また別のパーソナルオーガナイザーは、片面に沿ってヒンジ留めした上下のシェルから成り、これらを開けると通常は一方のシェルの内側にスクリーンが、また他のシェルの内側にはキーボードが現れる構造である。典型的には、固定機器構成型オーガナイザーは、表示スクリーンのためのポートレート構成を有し、またヒンジ留めシェルは、表示スクリーンのためのランドスケープ構成を有する。同様に、種々様々な形式の携帯電話が入手可能であって、その中には計算機能を電話通信機能と組合せたもの、またヒンジ留めした折畳み要素を有するもの、さらには一体構造のものがある。又やはり、異なる型の表示装置と異なる型のキーボードを備えた種々の型式の腕時計がある。尤も今のところ、ＱＵＥＲＴＹキーボードを備えた腕時計は一般には入手可能ではない。
【０００４】
市販の製品から公知の態様の実験試作装置に目を転ずれば、様々なキャリア要素に載せて使用され得る、スクリーンと入力装置との種々の組み合わせについて多くの特許と報告がある。パーソナルオーガナイザーのプレゼンテーションにおいては、携帯電話、折畳み式キーボードと手首装着計算器との極めて多くの組合せ及びその変型が存在する。  
【０００５】
市販にせよまた理論的に提案されたものにせよ、広範な種類の従来技術製品が有する意義は、完全に満足するべきソリューションは未だ全く提案されたことは無かった、ということである。計算装置類は、殆どあらゆる他の型式の手段と組み合わせられており、またユーザーの衣服の一部分を構成するコンピュータについて多くの提案がなされている。しかし明確な表示領域と操作容易な情報入力領域とを備えた、簡単で、担持可能な計算装置に対する要求・要望が強い。
【０００６】
発明者が本発明と同一人であるWO 96/21888においては、情報を逐次に表示するように配列され、実質的にブレスレットの全長に沿って伸展する少なくとも一つの電子式表示装置及び該表示装置の一つ又は複数を制御して、表示された情報が経時的にブレスレットの全長に沿って移動するように見えるものとした制御手段とを有して成るブレスレットが開示されている。このブレスレットは、アルファベット文字又はアルファベット文字と数字とから成るメッセージを表示することが出来、また複数のメッセージを表示するために記憶するメモリ手段を包含することが出来る。メッセージは、該ブレスレットの制御集積回路内に予めプログラムすることが可能であるか、又はその代わりに該ブレスレットは、電子式パーソナルオーガナイザ若しくはパーソナルコンピュータから該ブレスレットのメモリ内に情報をダウンロードすることによって、ユーザーの手でプログラムすることが可能であることも開示されている。該ブレスレットは、例えば電波によって送信されたデータを受信する受信装置を包含していてもよく、また時計の計時機能とアラーム機能とを表示してもよい。
【０００７】
情報転送に関する他の機能を複数備えた、従来公知の腕時計を提供することも知られている。例えばUS-A-5,260,915(Houlihan)においては、複数の実質的に堅牢なセグメント要素を列中の隣接した一対の要素間の一連のピボット結合において相互に端部を突合せ配置させて成る、腕時計と無線電話の組み合わせが開示されている。これらの結合の枢軸は、当該装置を腕時計として手首に装着した場合ユーザーの手首の長手軸に対して実質的に平行する。このような枢動可能な結合によって、当該装置は、当該装置を腕時計として使用した場合ユーザーの手首の周囲に適合する形状に湾曲させることが出来るのである。又はその代わりに、かかる枢動可能な結合のお蔭で、ユーザーが所望すればハンドヘルド無線電話として使用するに適したより細長い構造を形成させることが出来る。腕時計の一つのセグメントは、時間、電話番号、及び/又は他のメッセージ情報を表示するために使用できる表示スクリーンを包含する。またかかるセグメント要素は、電話ダイアルプッシュボタン及び当該装置の計時機能や無線電話機能を制御する別のプッシュボタンを包含する。しかしながら、腕時計の形状をしているため又無線電話としての用途があるため、該セグメントを開放して腕時計を平坦にすることは不可能である。
【０００８】
US4,141,074(Popper)においては、計算機と腕時計とを一体に組み合わせてなる手首型（リスト）計算機が開示されている。この手首型計算機は、対向した面と向合わせの端部及び該手首ケースのそれぞれの端部に接続されて、閉止ループを形成する手首バンドを有する手首ケースを包含する。電子式計算機手段は、計算機使用時にデータを光学的に表示するための電気・光学的表示手段が、その一つの面内に有するケースによって担持される。この手首型計算機は更には、計算機キーボードを包含する。本情報開示の目的の一つは、キ―ボードによって簡単で快適な操作が可能となった手首型計算機又は腕時計と手首型計算機とを組み合わせたものを提供することである。この手首バンドは、手首バンドで形成されたキーボードへのアクセスを容易に行うため及び手首型計算機をユーザーの手首から取り外した後もキーボード操作を容易に行うために分離することも可能である。切り離し可能な接続を所定の対のリンクの間に設けて、時計バンドを二つの部分に分離させ、かくして手首型計算機と手首バンドの面を水平面に配置して、計算機の使用を容易にすることも可能である。
【０００９】
DE-A-3,508,365(Weise)においては，幾つかのセグメントから成るブレスレット及び該ブレスレットの一つのセグメント内に配置した少なくとも一つの追加機能を作動させるためのキーとを備えた時計が、開示されている。これらのキーは、該ブレスレットの少なくとも一つのセグメントに配置されるものとする。これらのキーを時計本体から離して且つ該ブレスレットの要素上に配置することによって、時計本体での通常の配列構造におけるよりも大型のキーを構成することが可能となると言われている。一つの実施例においては、計算機は、時計本体に隣接したセグメントの一つの中に設けられる。
【００１０】
FR-2A-2360114(Magri)においては、デジタルデータを入力するためのシステムを備えた電子式ブレスレット、特に電子式計算機を組み合わせたブレスレットが開示されている。該ブレスレットの少なくとも一部分に電子部品を分散／分布させ、かくして従来開示された形式の時計において必要であると言われていた特殊なツールを必要とすることなく使用できる程十分にキーを大型で且つ相互に間隔をおいたものとすることが出来るのである。これらのキーは、０から9までの数字を入力しまた加減乗除の４つの標準操作の制御を行うために使用される。
【００１１】
US-A-5,416,730(Lookofsky)においては、一つの中央部と二つの端部とを備えたフレームを有する携帯型コンピュータが開示されている。これら端部の一つは、該中央部にヒンジで取り付けられ、中央演算装置（ＣＰＵ）は、該中央フレーム部に関連づけられる。電源モジュールは、着脱可能に該ＣＰＵと連通するフレームに取り付けられる。計算機とキーボードモジュールは、着脱可能に該ＣＰＵと連通する一つの端部に取り付けられ、またスクリーンは、着脱可能に該ＣＰＵと連通する他の端部に取り付けられる。このフレームは、締結機構を有しており、かくして調節可能に該フレームを実施一的にユーザーの腕の周囲に固定して、該フレームの縦方向運動と回転運動とを防止するのである。なお、キーボードを担持するヒンジ留めされた端部は、該キーボードをＣＰＵを基準として所定の角度に保持するための固定機構を有する。設計によって他のタスクのために両手をフリーにささえる、データ収集又は情報処理を目意的とするコンピュータ構成が提供されると言われている。このコンピュータは、腕に装着可能に設計されていて、腕において内部手袋又はストラップ機構と緊密に嵌め合い、その後は自動固定式ヒンジで腕の周囲において閉止される。
【００１２】
SE-A-3813409(Osterhage)においては、圧電制御回路によって制御される、連続鎖状の個別ブレスレットリンクから成るー各ブレスレットリンクは、デジタル表示として構成されるーマルチデジタル表示を備えた腕時計が開示されているが、前記制御回路は、ブレスレットリンクからブレスレットリンクへとパルス状に送り出されてデジタルディスプレーが、ブレスレットの周囲で時間的に律動するに到るマルチーデジットディスプレイを形成する。
【００１３】
先行技術において開示された他の装置は、DE-29912001(Kreisz)、FR-A-2,599,867(Gennari),US-A-5,214,623(Seager)およびUS-A-5,251,189 (Timex Corporation)において記載されている。
【発明の開示】
【発明が解決しようとする課題】
【００１４】
本発明の一つの目的は、より優れた情報表示と更に便利になった情報入力機能を可能とならしめる、情報表示と入力機能を備えた、改善されたブレスレットを提供することである。
【課題を解決するための手段】
【００１５】
本発明のある一つの局面に従えば、下記を含んで成る情報表示と入力機能を備えたブレスレットが提供される：即ち、該ブレスレットをユーザーの手首の周囲に折畳み出来るように一体にヒンジ止めされた４ないしそれ以上のセグメントの複数群；入力された情報を受信し且つ情報を表示するための表示信号を生成させるための情報処理装置；該情報処理装置から派生された情報を表示するための表示装置；及び入力装置との手動相互動作によって該情報処理装置への情報入力を行うための情報入力装置；なお、該ブレスレットにおいて、該ブレスレットの外表面は、該表示装置が占める領域と該入力装置が占める領域とを組み合わせて含んで成る情報交換領域であって、該ブレスレットの一つ以上のセグメント上を伸展する情報交換領域を有するものであり；該ブレスレットのセグメントが、ヒンジ止めされて、該ブレスレットがユーザーの手首の周囲で折り畳まれることが出来る第一の手首装着形状構成と該ブレスレットがユーザーによって平坦状に配置されて、該入力装置を経由した上方入力が行われる第二の平坦形状構成との間を該セグメントが移行出来るようにされており；また該ブレスレットは、該ブレスレットを通常の情報入力過程において少なくとも平坦形状構成に実質的に固定して保持する態様で該セグメントを連結するための継手成分を包含する。
【００１６】
本発明の別の局面に従えば、下記を含んで成る情報表示と入力機能を備えたブレスレットが提供される：即ち、該ブレスレットをユーザーの手首の周囲に折畳み出来るように一体にヒンジ止めされた４ないしそれ以上のセグメントの複数群；入力された情報を受信し且つ情報を表示するための表示信号を生成させるための情報処理装置；該情報処理装置から派生された情報を表示するための表示装置；及び入力装置との手動相互動作によって該情報処理装置への情報入力を行うための情報入力装置；なお、該ブレスレットにおいて、該ブレスレットの外表面は、該表示装置が占める領域と該入力装置が占める領域とを組み合わせて含んで成る情報交換領域であって、該ブレスレットの一つ以上のセグメント上を伸展する情報交換領域を有するものであり；該ブレスレットのセグメントが、ヒンジ留めされて、該ブレスレットがユーザーの手首の周囲で折り畳まれることが出来る第一の手首装着形状構成と該ブレスレットがユーザーによって平坦状に配置されて、該入力装置を経由した情報入力が行われる第二の平坦形状構成との間を該セグメントが移行可能にされており；また該情報交換領域は、該ブレスレットの長さ方向に対して直角方向であって且つ該ブレスレットの全長の少なくとも１０％である幅員を有するものである。
【００１７】
本発明の更なる局面に従えば、下記を含んで成る情報表示と入力機能を備えたブレスレットが提供される：即ち、該ブレスレットをユーザーの手首の周囲に折畳み出来るように一体にヒンジ止めされた４ないしそれ以上のセグメントの複数群；入力された情報を受信し且つ情報を表示するための表示信号を生成させるための情報処理装置；該情報処理装置から派生された情報を表示するための表示装置；及び入力装置との手動相互動作によって該情報処理装置への情報入力を行うための情報入力装置；なお、該ブレスレットにおいて、該ブレスレットの外表面は、該表示装置が占める領域と該入力装置が占める領域とを組み合わせて含んで成る情報交換領域であって、該ブレスレットの一つ以上のセグメント上を伸展する情報交換領域を有するものであり；該ブレスレットのセグメントがヒンジ留めされて、該ブレスレットがユーザーの手首の周囲で折り畳まれることが出来る第一の手首装着形状構成と該ブレスレットがユーザーによって平坦状に配置されて、該入力装置を経由した情報入力が行われる第二の平坦形状構成との間を該セグメントが移行可能にされており；該情報交換領域が、該ブレスレットの長さ方向に対して直角方向において狭長であり、また該情報入力装置が、アルファベットの文字をそれぞれ表わす手動操作可能な領域の一つの配列を含んで成るに際して、該キー領域の配列が、該ブレスレットの全長に沿って整列されるものである。
【００１８】
本発明の更なる別の局面に従えば、下記を含んで成る情報表示と入力機能を備えたブレスレットが提供される：即ち、該ブレスレットをユーザーの手首の周囲に折畳み出来るように一体にヒンジ止めされた４ないしそれ以上のセグメントの複数群；入力された情報を受信し且つ情報を表示するための表示信号を生成させるための情報処理装置；該情報処理装置から派生された情報を表示するための表示装置；及び入力装置との手動相互動作によって該情報処理装置への情報入力を行うための情報入力装置；なお、該ブレスレットにおいて、該ブレスレットの外表面は、該表示装置が占める領域と該入力装置が占める領域とを組み合わせて含んで成る情報交換領域であって、該ブレスレットの一つ以上のセグメント上を伸展する情報交換領域を有するものであり；該ブレスレットのセグメントがヒンジ留めされて、該ブレスレットがユーザーの手首の周囲で折り畳まれることが出来る第一の手首装着形状構成と該ブレスレットが、平坦状に配置されて、該入力装置を経由した情報入力が行われる第二の平坦形状構成との間を該セグメントが移行可能にされており；該情報交換領域が、該ブレスレットの長さ方向に対して直角方向において狭長であり、また該情報入力装置が、アルファベットの文字をそれぞれ表わす手動操作可能な領域の一つの配列を含んで成るに際して、該キー領域の配列が、該ブレスレットの全長に沿って整列されるものである。
【００１９】
上記した本発明の複数の局面は、組み合わせて又は独立して利用すればよい。例えば、ブレスレットは、平坦状である場合固定されるか又は実質的に固定されることが好ましいのであるが、本発明の別の局面においてはこのことは、平坦形状構成である場合は緩く一体に連結されていてもよく、また該ブレスレットは、平坦形状構成である場合平坦な水平面上に支持される。しかしながら、上記したように、該ブレスレットは、平坦状構成である場合は固定されるか又は実質的に固定されることが好ましいのである。
【００２０】
好都合には、かかる構成は、該装置がユーザーの手首に装着された場合情報を入力することが出来るようになるものであってもよいが、上記において記載した第一の局面においては、該ブレスレットを手首から取り外して、例えば机又は他の平坦面上において平らにした場合又は手で片持ち梁状に保持した場合に、情報入力が更に好都合におこなわれることが、本発明の一つの特別な利点である。
【００２１】
該ブレスレットが、第一の形状構成において完全に手首を囲繞することによって手首に固定されるよう配置されるか、又はその代わりに該ブレスレットが、該セグメントの作用により手首をグリップすることによって手首に固定されるよう配置され、後者の場合は該ブレスレットが手首を完全に囲繞する必要が無いことが、理解されるはずである。後者の場合においては、該セグメントが、２８０度以上の角度間隔を形成する経路、好ましくは３３０度以上の角間隔を形成する経路の周囲に伸展することが好ましい。該ブレスレットが、少なくとも５つのセグメント、より好ましくは少なくとも７つのセグメントを含んで成ることが好ましく、また特に好ましい形態においては、該ブレスレットが１１のセグメントを含んで成る。ある配列構成においては、該ブレスレットは、主として複数のセグメントから構成されるが、該ブレスレットの幾つかのパーツは、その他の要素、例えば弾性化要素から成る。しかしながら、該ブレスレットは、完全に幾つかの該セグメントから形成されることが好ましい。
【発明を実施するための最良の形態】
【００２２】
一つの特に好ましい形態においては、該表示装置が、該ブレスレットの二つ又はそれ以上のセグメントに渉って伸展し、且つ個別に付勢される表示要素から構成される光学画像を提供するよう配列されるのである。かかるものとしては、例えばテレビジョン型式の表示装置のピクセルであってもよく、英数字文字のセグメントであってもよく、又はドットマトリックスにより形成される公知の形態の表示装置の如何なるものであってもよい。
【００２３】
また別の特に好ましい形態においては、該表示装置は、該ブレスレットの少なくとも二つのセグメントに渉って伸展するに際して、該表示装置の少なくとも幾つかのセグメントが相互に可視状態に関連づけられて、かくして関連セグメント上に伸展する情報の単一化表示を提示するのである。例えば、かかるセグメントは、可視状態に関連づけられ、その結果英数字テキストが、コヒーレントなテキストに留まった状態で一つのセグメントから別のセグメントへ移行・移動するのである。他の配列構成においては、可視状態に関連づけられた、隣接するセグメントが、当該セグメントがコヒーレントに合体して一つの単一化画像となっている可視画像を提供してもよい。
【００２４】
幾つかの配列構成においては、該継手成分は、該ブレスレットを通常の情報入力過程において平坦形状構成に実質的に固定して保持するに充分な剛性を有する硬いヒンジを複数含んで成る。  該継手成分の剛性度が、該ブレスレットが第一の手首装着形状構成にある場合よりも第二の平坦形状構成にある場合のほうが大きくなるように配列されていてもよい。又はその代わりに、該継手成分の剛性度が、該ブレスレットが第一の手首装着形状構成にある場合と第二の平坦形状構成にある場合において実質的に同一であって、該剛性度は、該ブレスレットを通常の情報入力過程においては平坦形状構成に実質的に固定しつつ而も該ブレスレットを第一の手首装着形状構成に移行させるに充分な可動状態に保持するように選択されるのである。幾つかの好ましい配列構成においては、該継手成分が、該ブレスレットの一対の隣接セグメント間において作動して、かくして前記第二の平坦位置になった場合該隣接セグメントを少なくとも実質的に固定された状態又は完全に固定された状態に解除可能に締結する、少なくとも一つの締結機構を包含するのである。一つの特に好ましい形態においては、該締結機構は、第一の平坦位置においては隣接するセグメントを弾力により前記固定状態に偏奇させるものの、解除して該弾力性偏奇に抗した手動動作により手首周辺に折り畳むことを可能とする制止機構である。他の形態においては、例えば止め具などの締結機構は、手動により作動させて、平坦状態になった場合隣接するセグメントを完全な固定状態に固締させるようにしてもよい。
【００２５】
全体として、該ブレスレットは、平坦位置において該ブレスレットの１／３を把持して、更に好ましくは該ブレスレットの１／４を把持して片持ち梁状に保持された場合、セグメント相互の動きを防止するに十分なほど堅牢となるような態様で構成され且つ配列されることが、特に好ましい。
【００２６】
一つの好適な形態においては、該ブレスレットの隣接するセグメントは、該ブレスレットがユーザーの手首の周囲で屈曲された場合でもまた平坦位置になった場合でも実質的に相互に突合せする外面を有しており、隣接するセグメントは、該隣接セグメントの隣接する外面の突合せ線を周回運動するようヒンジ留めされるように配列される。
【００２７】
該情報交換領域が、該ブレスレットの通常可視状態となる外面の大半に渉って伸展することが、特に好ましい。好ましくは、該情報交換領域が、ブレスレットの通常可視状態となる外面の少なくとも５０％に渉って、更に好ましくはブレスレットの通常可視状態となる外面の少なくとも７５％に渉って伸展するのである。幾つかの好ましい配列構成においては、該情報交換領域が、ブレスレットの通常可視状態となる外面の全面に渉って伸展するのである。
【００２８】
好ましくは、該表示装置は、該ブレスレットの３つ又はそれ以上のセグメントに渉って伸展する。いくつかの配列構成においては、該表示装置が、該ブレスレットの実質的に全長に渉って伸展する。尤もいくつかの配列構成においては、該情報入力装置が、該ブレスレットの実質的に全長に渉って伸展し、そのため該表示装置の範囲と干渉するに至る。好ましくは、該情報入力装置が、該ブレスレットの３つ又はそれ以上のセグメントに渉って伸展し、いくつかの配列構成においては該ブレスレットの全長に渉って伸長する。
【００２９】
該情報処理装置が、表示信号を生成するに際して、表示情報が経時的に該ブレスレットの長さに沿って移動するように見えるように配列されることが、特に好ましい。このことは、該ブレスレットを手首に装着した場合、当該情報が多数の角度からでも見ることが出来る、という利点をもたらす。
【００３０】
本発明のいくつかの形態においては、該情報入力装置は、英数字キーボード、即ちアルファベット文字と数字とを表示するキーを有するキーボードを含んで成っていてもよい。
【００３１】
ある形態においては、該キーボードは、該ブレスレットの全長に沿って整列され、またこのような場合、好適には該キーボードが、該ブレスレットの全幅の一部のみを占拠し、全幅の残部は、該表示装置によって占められるのである。  かかる配列構成においては、該腕時計を平坦上にして情報入力する場合、キーボードは更に幅広くなって（該ブレスレットの長さに沿って）、情報入力のために便利なキー配列とすることが可能である。一つの好ましい形態においては、該キーボードは、複数の行のキーを有しており、一つ又はそれ以上の行は、該ブレスレットの隣接するセグメント上に配置される。好適には、該キーボードが、ＱＵＥＲＴＹ型キーボードであり、なお文字キーが、１０行にレイアウトされ、一つ又はそれ以上の行は、該ブレスレットの隣接する１０のセグメント上に配置される。
【００３２】
本発明のまた別の形態の実施態様においては、該キーボードは、該ブレスレットの全長に沿って整列されていてもよい。好適には、該キーボードは、複数の列のキーを有するが、一つ又はそれ以上の列は、該ブレスレットの隣接セグメント上に配置せられる。該キーボードが、ＱＵＥＲＴＹ型キーボードであり、なお文字キーが好ましくは、それぞれ該ブレスレットの隣接する３つのセグメント上に配置された３列にレイアウトされるように配列されてもよい。
【００３３】
本発明を具体化するブレスレットの別の形態においては、該情報入力手段が、メニュからの選択によって行われる、情報入力を行わしめる接触式画面を含んで成るように配列されるのである。その代わりに又は更に付加して、該情報入力手段は、電子ゲームステーションの制御手段を含んで成るように配列されていてもよい。
【００３４】
特に好ましくは、該ブレスレットの構造は、該ブレスレットの隣接するセグメントが、該ブレスレットがユーザーの手首で屈曲された場合でもまた平坦位置になった場合でも実質的に相互に突合せする外面を有しており、隣接するセグメントは、該隣接セグメントの隣接する外面の突合せ線を周回運動するようヒンジ留めされるのである。
【００３５】
本発明の一つの特別な特徴は、該情報交換領域が、該ブレスレットの長さ方向に対して直角方向において幅広であることである。好ましくは、該情報交換領域は、該ブレスレットの長さ方向に一定の幅であって、該ブレスレットの全長の少なくとも１０％、より好ましくは２０％且つ最も好ましくは３０％である幅員を有するのである。他の配列構成においては、該情報交換領域は、該ブレスレットの長さ方向に一定の幅であって、該ブレスレットの全長の少なくとも４０％、より好ましくは該ブレスレットの全長の５０％である。
【００３６】
該情報交換領域の形状は、種々に異なってもよいが、該ブレスレットの長さ方向において狭長であり、好ましくは実質的に長方形であることが好ましい。
【００３７】
情報表示と入力機能とを備えたブレスレットが好ましくは、該ブレスレットの長さ方向に対して直角方向において、通常の腕時計のストラップよりも実質的に幅広いことが、本発明の別の特徴である。好ましくは、長さ方向に対して直角方向におけるブレスレットの最小の幅員は、該ブレスレットの全幅の少なくとも１０％に等しく、また好ましくは、該ブレスレットの長さ方向に対して直角方向におけるブレスレットの平均幅員は、該ブレスレットの全幅の少なくとも１０％に等しい。最も好ましくは、該最小幅員及び／又は平均幅員は、該ブレスレットの全長の少なくとも２０％、更に好ましくは３０％、また好便には、４０％又は５０％に等しい。好ましくは、該ブレスレットの長さ方向に対して直角方向におけるブレスレットの全幅は、一定である。
【００３８】
好ましい特徴を英数字キーボードに関しては上記したが、英数字キーボードは、個別に可動であるキーによって構成する必要はないことを認めるべきである。パーソナルオーガナイザーにおいては、ＱＥＲＴＹ型キーボードなどのキーボードを有する接触式画面を設けることが通常である。これらの配列構成においては、アルファベットの文字を表示する手動操作可能な領域からなる一つのアレーが設けられるが、該キー領域は、指でスクリーンに接触するか又は特別に設けたスチラスによって操作することが可能な接触式画面の領域である。好ましい形態においては、数字を表示するキー領域も包含される。
【００３９】
即ち、本発明に従えば、該情報交換領域は該ブレスレットの長さ方法において狭長であり、該情報入力装置は、アルファベットの文字を表示する手動操作可能な領域からなる一つのアレーを含んで成るが、キー領域の該アレーは、該ブレスレットの全長に渉って整列される。該キー領域は、物理的に可動なキーであってもよく、又は接触式画面の領域であってもよい。
【００４０】
本発明の別の特徴に従えば、該ブレスレットは、携帯電話として使用するため第三の形状構成に移行可能である。即ち、本発明のいくつかの好ましい実施態様に従えば、該ブレスレットの一つのセグメントは、電話の受話器を構成し、また該ブレスレットの他のセグメントは、電話の送話器を形成し、さらに情報処理装置は、電話発信装置と電話受信装置を含んでなる。該ブレスレットのセグメントは、ヒンジ留めされて第三の電話構成に移行させることが可能となるが、該構成においては、該受話器と送話器とは、該受話器と送話器とを基準として通常の電話操作位置に配置される。かかる配列構成においては、かかる第三の電話構成においては、該ブレスレットは、第一の手首装着形状構成における曲面より全体として小さい曲面を有する、少なくとも部分的に屈曲された形状構成に形成される。
【００４１】
本発明に従った装置に関連して本発明の特徴が特定されたが、かかる特徴はまた、本発明に従った方法に関しても実現され、またその逆もあてはまる。
【００４２】
具体的には、本発明に従えば、下記を含んで成る情報表示と入力機能を備えたブレスレットを操作する方法が提供されるのである：即ち、ブレスレット内に実装された情報処理装置に該ブレスレットに実装された入力装置との手動相互動作によって情報を入力すること  −  なお、該ブレスレットの外表面は、該表示装置が占める領域と該入力装置が占める領域とを組み合わせて含んで成る情報交換領域を有するものであり、該情報交換領域は、該ブレスレットの一つ以上のセグメント上を伸展する  −；及びユーザーの手首周囲に折畳み出来るように一体にヒンジ止めされた複数のセグメントを含んで成るブレスレットが、ユーザーの手首に装着されている状態で、情報処理装置から派生された情報を該ブレスレットの表示装置に表示すること；なお、該方法は、ブレスレットがユーザーの手首に装着された状態において該表示装置に情報を表示する工程；ブレスレットがユーザーによって平坦状に配列された場合、情報入力装置との手動相互作用により該情報処理装置に情報を入力する工程を含んで成るものである。
【００４３】
かかる方法において特に好ましいことは、該方法が、該ユーザーの面前で、該ユーザーの視野を横断して伸展するブレスレットの長さと直角方向において該ブレスレットを第二の平坦形状構成に位置させること及び前記直角方向において該入力装置との手動相互作用により情報を入力させることを包含するものである。かかる方法は、該情報交換領域が、該ブレスレットの長さ方向において狭長であり、該情報入力装置が、アルファベットの文字を表示する手動操作可能な領域からなる一つのアレーを含んで成るに際して、キー領域の該アレーは、該ブレスレットの全長に渉って整列される場合に、特に使用される。
【００４４】
本発明のもう一つの特に好ましい特徴は、該方法が、該ブレスレットを手首から外し、該ブレスレットのセグメントを、該セグメントが相互に少なくとも実質的に固定状態に保持する平坦形状構成に移行させること、及び該ブレスレットをその全長の一部のみで保持し、その残部は該平坦形状構成に少なくとも実質的に保持しながら、入力装置を介して情報を入力することを包含していてもよいことである。本発明のまた別の特徴は、該表示装置が少なくとも二つのセグメントに渉って伸展していてもよいこと、また該方法が、該表示装置の少なくとも二つの隣接するセグメントを平坦形状構成において幾つかのセグメントが相互に可視状態に関連づけられて関連セグメント上に伸展する情報の単一化表示を提示するような構成に移行させることを包含していてもよいことである。
【００４５】
本発明の更なる別の局面に従えば、下記を含んで成る情報表示と入力機能を備えたブレスレットを操作する方法が提供される：即ち、ブレスレット内に実装された情報処理装置に該ブレスレットに実装された入力装置との手動相互動作によって情報を入力すること；及びユーザーの手首周囲に折畳み出来るように一体にヒンジ止めされた複数のセグメントを含んで成るブレスレットが、ユーザーの手首に装着されている状態で、情報処理装置から派生された情報を該ブレスレットの表示装置に表示すること；なお、該方法は、ブレスレットがユーザーの手首に装着された状態で該表示装置に情報を表示する工程、及び該ブレスレットがユーザーによって平坦上に配列された場合、該情報入力装置との手動相互作用により情報処理装置に情報を入力する工程  −  但し、該表示装置及び該入力装置とが併せて占める領域が該ブレスレットの一つ以上のセグメントに渉って伸展する  −  を包含するに際して、該方法は、該ユーザーの面前で、該ユーザーの視野を横断して伸展するブレスレットの全長と直角方向において該ブレスレットを第二の平坦形状構成に位置させること及び前記直角方向において該入力装置との手動相互作用により情報を入力させることを包含して成る、前記方法である。
【００４６】
本発明のまた更なる好ましい方法に従えば、下記を含んで成る情報表示と入力機能を備えたブレスレットを操作する方法が提供される：即ち、ブレスレット内に実装された情報処理装置に該ブレスレットに実装された入力装置との手動相互動作によって情報を入力すること；及びユーザーの手首周囲に折畳み出来るように一体にヒンジ止めされた複数のセグメントを含んで成るブレスレットが、ユーザーの手首に装着されている状態で、情報処理装置から派生された情報を該ブレスレットの表示装置に表示すること；  なお、該方法は、ブレスレットがユーザーの手首に装着された状態で該表示装置に情報を表示する工程、及び該ブレスレットがユーザーによって平坦上に配列された場合、該情報入力装置との手動相互作用により情報処理装置に情報を入力する工程と  −  但し、該表示装置及び該入力装置とが併せて占める領域が該ブレスレットの一つ以上のセグメントに渉って伸展する  −  包含するに際して、該方法は、該ブレスレットを手首から外し、該ブレスレットのセグメントを、該セグメントが相互に少なくとも実質的に固定状態に保持する平坦形状構成に移行させる工程、及び該ブレスレットをその全長の一部のみで保持し、その残部は該平坦形状構成に少なくとも実質的に保持しながら、入力装置を介して情報を入力する工程とを包含するものである。
【００４７】
本発明の更に別の局面においては、下記を含んで成る情報表示と入力機能を備えたブレスレットを操作する方法が提供される：即ち、ブレスレット内に実装された情報処理装置に該ブレスレットに実装された入力装置との手動相互動作によって情報を入力すること；及びユーザーの手首周囲に折畳み出来るように一体にヒンジ止めされた複数のセグメントを含んで成るブレスレットが、ユーザーの手首に装着されている状態で、情報処理装置から派生された情報を該ブレスレットの表示装置に表示すること；  なお、該方法は、ブレスレットがユーザーの手首に装着された状態で該表示装置に情報を表示する工程、及び該ブレスレットがユーザーによって平坦上に配列された場合、該情報入力装置との手動相互作用により情報処理装置に情報を入力する工程  −  但し、該表示装置及び該入力装置とが併せて占める領域が該ブレスレットの一つ以上のセグメントに渉って伸展する  −  を包含するに際して、該表示装置が該ブレスレットの一つ以上のセグメントに渉って伸展し、且つ該方法が、該表示装置の少なくとも幾つかのセグメントが相互に可視状態に関連づけられて、かくして可視状態で関連づけられたセグメント上に伸展する情報の単一化表示を提示するに到る平坦形状構成に、該表示装置の少なくとも二つのセグメントを移行させることを包含するものである。
【００４８】
理解されるべきことであるが、これらの局面における本発明の重要な利点の一つは、該ブレスレットが、平坦形状構成担った場合、該ブレスレットのセグメントが相互に移動することなく片持ち梁状に保持することが出来る、ということである。即ち、例えば該ブレスレットは平坦形状構成となった場合片手で保持すること、またパーソナルデジタルオーガナイザーの通常の態様で残りの片手により情報を入力することが、可能である。同様に必要ならば、該ブレスレットは、該ブレスレットの中心部のある位置で、遠位端を移動することなく平坦形状構成に保持することが出来る。このことによって情報を入力する場合は、該ブレスレットのセグメントが弛緩し、情報を入力する前に水平面によって保持することが必要となった場合よりも便利が一層良くなる。
【００４９】
本発明の実施態様は、多くの利点を有する。本発明を具体化する情報ブレスレットは、手首に装着して搬送したりまた通常の表示をおこなったりすることが出来るが、通常のキーボードについて普通であるように平坦で、堅牢な形状とした場合プログラムすることが出来る。これらのヒンジは、平坦状に折り戻すと堅牢なプラットフォームを形成するように締結出来るものであるか、又は平坦状に展開配置させ、他の表面上に載置させて操作を行える機能を持たせることが出来るだけでもよい。何れの場合も、通常の平坦状キーボードが有する便利さが、情報入力を行なうに際して得ることが出来る。
【００５０】
次に、本発明の実施態様の幾つかを添付する図面を参照して実施例によって記載する。
【図面の簡単な説明】
【００５１】
【図１】本発明を具体化する情報表示と入力機能とを備えたブレスレットの全体形状の略斜視図である。図１（ａ）は、図1に示すブレスレットに実装した構成素子の簡略ブロック式回路図である。
【図２】平坦状に展開配置した場合における図1のブレスレットの側面図である。
【図３】該ブレスレットの長さに沿って整列させた英数字キーボードを備えた形状における、本発明を具体化するブレスレットの斜視図である。
【図４】平坦状に展開配置した場合における図３に類似したブレスレットの平面図である。
【図５】図3におけるブレスレットの変型をゲームステーション、即ち電子ゲームの形状としたものの平面図である。
【図６】ブレスレットに例示のゲームディスプレーを表示した、図5のブレスレットの平面図である。
【図７】図6におけるゲーム表示に代えてスポーツ情報を例示した、図5のブレスレットの平面図である。
【図８】ブレスレットの長さ方向を横切る方向に方法を表示した形状における、図１に示した図に対応する、本発明を具体化するブレスレットの斜視図である。
【図９】英数字キーボードに代えてメニュ選択を備えた接触式画面により情報を入力する形状を平坦状に展開配置した場合における、図8のブレスレットの平面図であり、また図９ａは、図9のブレスレットの側面図である。
【図１０】図8において示したと同一の形状において、情報をブレスレットの長さ方向を横切る方向に表示しているものの、英数字キーボードにより情報を入力するものとした、ブレスレットの平面図であり、また図１０ａは、図１０のブレスレットの側面図である。
【図１１】図2に示すブレスレットの隣接するセグメント間の結合部の詳細図を示す。
【図１２】図１１の構成要素に相当する、ブレスレットの一つのセグメントと一つのリンクの分解図を示し、図１２ａは、図１２に示す結合部品の側面図を示す。
【図１３】ブレスレットの隣接セグメントをユーザーが装着した場合と同様に一体に閉止した時の図１１の構成要素である。
【図１４】指とセグメントの溝及び図１１に示す結合部品との相互作用の詳細図を示す。
【図１５】指とセグメントの溝及び図１１に示す結合部品との相互作用の詳細図を示す。
【図１６】図1の実施態様において、ブレスレットをセグメントの作用によりグリップすることによって手首に固定した一変型を示す。
【図１７】本発明の又別の実施態様において、ブレスレットが携帯電話として作動するものとしたものの斜視図を示すが、図１７に示す該ブレスレットは、第二の平坦形状構成にある。
【図１８】第一の手首装着形状構成における、図１７のブレスレットの端面図である。
【図１９】第三の電話の形状構成とした、図１７及び１８のブレスレットの斜視図である。
【図２０】使用中の第三の電話の形状構成とした図１９のブレスレットを示す。
【図２１】図１７ないし１９において示したブレスレットの隣接セグメント間の結合部の詳細図を示す。
【図２２】セグメントのスタッドと溝及び図２１に示した結合部品との相互作用の詳細図を示す。
【実施例１】
【００５２】
図１について述べれば、１２のヒンジ留めされたセグメント１２Ａ及び１２Ｂから構成されるブレスレット１１がある。セグメント１２Ａは、側面１３Ａを有するが、この側面は、該セグメントの主要外面１４にほぼ７０度の角度で傾斜している。セグメント１２Ｂは、主要面１４にほぼ７０度の角度で傾斜した側面１３Ｂを有しており、また同時にその主要外面１４にほぼ９０度の角度で傾斜している側面１３を有する。これら側面１３Ａ及び１３Ｂの角度があるため、ブレスレット１１は、折畳まれて図示したような全体として卵形形状を呈し、かくしてユーザーの手首に快適に嵌り合うことが出来るのである。この面１３Ａについて選択された現実の角度は、各面について同一である必要はなく、該ブレスレットの卵形形状について要求される深さが得られ、かくして外手首に好適に嵌り合うように選択されることになろう。各セグメント１２Ａ，１２Ｂは、端面２４を有する。これらのセグメントは、以下において詳述されるように相互に一体にヒンジ留めされ、かくして図２において示すように該ブレスレットが平坦状に展開されることが可能となる。該ブレスレットの端面を一体に締結させるための二つの好適な位置は、図１におけるＡ及びＢにおいて示される。図２において展開されたブレスレットは、図１における位置Ａにおいてその結合部を有する。図１において、点Ａは、ユーザーの手首の下側において該ブレスレットの端面の結合部があることを示し、また点Ｂは、ユーザーの手首の側面部における結合部を示す。かかる複数のセグメントは，一体にヒンジ留めされて、かくして該ブレスレットがユーザーの手首周囲で折り畳まれることが可能となる。
【００５３】
該ブレスレットは多くの異なる方法で手首に固定することが出来る。例えば図１において、該ブレスレットは、好適にはＡ又はＢにおいて示された位置で分離され、かくして分離されたセグメント１２Ｂは、留め金（図示していない）によって一体に接合される。図１６において示すように、また別の配列構成においては、該ブレスレットのセグメントは、手首の周囲全体に伸展せず、小さい間隙がＣで示された領域において設けられる。このような場合、該セグメントは、相互の間において継手部を有しており、これによって図１６において示すような所望とする形状構成において剛性がもたらされ、その結果該ブレスレットは、該セグメント間の継手部の作用によって所定の位置に保持されることになる。勿論、このブレスレットもまた、かかる形状の組合せによって保持されていてもよい。例えば図１において、該ブレスレットは、位置Ａにおいて示した二つの端部の間において留め金を全く有していなくてもよい。このような配列構成においては、該ブレスレットは、該セグメント間における強固な接合によって手首上の所定位置に保持される。
【００５４】
例として図１６において示した実施態様について述べるならば、該セグメントは、手首に装着した場合は２８０度以上、より好ましくは３３０度以上の角度間隔を形成する経路の周囲に伸展することが好ましいのである。即ち、Ｃにおいて示した間隙は、手首のほぼ中央において８０度以下、好ましくは３０度以下の角度間隔を形成することが好ましい。
【００５５】
図１Ａは、該ブレスレットの内部及びその上に実装された電気構成要素の簡略ブロック式回路図である。図１Ａにおいて示すように、該ブレスレット１１は、入力された情報を受信し且つ表示信号を生成させるための情報処理装置１５、該情報処理装置１５から派生された情報を表示するための表示装置（表示手段とも称する）１６及び入力装置１７との手動相互動作によって該情報処理装置１５への情報入力を行うための情報入力装置（情報入力手段とも称する）１７を含んで成る。例として、以下において更に詳細に記載するように、該入力手段１７は、英数字キーボード（図４ないし１４において示すように）、メニュからの選択によって情報入力を可能ならしめる接触型画面（図９において示すように）、又は電子ゲームステーションの制御装置（図５，６及び７において示すように）から構成されていてもよい。該情報処理装置１５は、電子オーガナイザー、ハンドヘルドＰＣ又は電子ゲームステーションにおいて普通に見られる処理装置を含んで成っていてもよい。該表示装置１６は、ＬＣＤセグメント又は発光プラスチックスから構成された表示画面又はその他の入手可能な表示画面、例えば電子オーガナイザー、ハンドヘルドＰＣ又は電子ゲームにおいて使用される画面を含んで成っていてもよい。
【００５６】
ここで示した本発明の幾つかの実施態様に従えば、情報入力装置１７は、図１において示したように該ブレスレットの一つ以上のセグメント１２Ａ，１２Ｂに渉って伸展し、該表示装置１６は、該セグメントの外面１４上において表示スクリーンによって形成され、やはり図１に示す該ブレスレット１１の一つ以上のセグメント１２Ａ，１２Ｂに渉って伸展する。該情報入力装置１７は、必ずしも表示装置１６と独立している必要はなく、例えば該情報入力手段が接触式画面の一部であるように、該表示領域の一部分を構成していてもよい。かかる独立したキーボードを備えた装置（以下において記載するように）については、キーは、一つのセグメントの外面全体１４から突出していてもよく、該外面の水準以下に皿穴に沈めてもよく，又は該外面と同高であってもよい。
【００５７】
即ち、該ブレスレット１１の該表面は、表示装置１６が占める領域と該入力装置１７が占める領域とを組み合わせて含んで成る情報交換領域であって、該ブレスレットの一つ以上のセグメント上を伸展する情報交換領域１０を含んで成る情報交換領域を有する。
【００５８】
図１Ａにおいて示すように、該ブレスレット１１は、ページャーや携帯電話に使用されているような、情報の赤外線送信又は通常の遠隔通信送信のうちの如何なるものによる情報の送信及び/又は受信を行なうための発信機及び/又は受信機を包含していてもよい。
【００５９】
本発明に関する多くの変型が、以下において記載されるように提供され得るのであるが、多数の全体として好ましい特徴を次に記載することとする。該表示手段１６は、該ブレスレットの実質的に全長に渉って伸展することが好ましく、また１０以上のセグメントを備えたブレスレットの場合は、該情報入力手段１７は、該ブレスレットのセグメント１２Ａ，１２Ｂのうちの３つ以上に渉って伸展することが好ましい。該情報処理装置１５は、該表示手段１６に入力する表示信号を生成するに際して、所望の情報が表示された場合、一般に前記公開国際特許出願ＷＯ  ９６／１８８８において記載されているように、経時的に該ブレスレット１１の長さ方向に沿って移動するように見えるように生成することも又好ましい。次に図３及び４に言及すれば、該情報入力手段１７が、該ブレスレット１１の長さ方向に沿って整列されたＱＵＥＲＴＹ型キーボードから構成される、図１のブレスレットの特殊な形態が示されている。
【００６０】
図３及び４に示されているように、該表示手段１６は、該ブレスレットの実質的に全長に渉って伸展しているが、ほぼ深さは半分にしか伸展していない。該情報入力手段１７は、１２行で形成されたキー２０を有するＱＵＥＲＴＹ型キーボードから形成されており、なお各行は、セグメント１２Ａ又は１２Ｂのうちの一つを占める。ＱＵＥＲＴＹキーボードの文字キーは、それぞれ該ブレスレット１１の１０個の隣接セグメント１２Ａ，１２Ｂに配置された１０の行に配置される。
【００６１】
図３及び４は、パーソナルオーガナイザー又はミニパーソナルコンピュータの形態としたブレスレット１１を示すが、該ディスプレーは、該ブレスレットを警察官が装着した場合に表示されるものである。例として示ししたディスプレーは、”A.P.B. RED JAGUAR XK8 STOLEN.....V296ABG.....TWO OCCUPANTS”である。このようなメッセージは、手首周囲を通過する結果、如何なる視角からもメッセージを視認することが出来るように配列されるであろう。かかるメッセージを図３に示す。
【００６２】
図４は、図３において示したのに類似しているが、異なるメッセージを表示したブレスレットを示す。またこのブレスレットも、平坦形状に展開されており、ＱＵＥＲＴＹキーパッドでのプログラミングとディスプレーの完全視認が可能となっている。かかる使用法にあっては、情報の要求、例えば盗難の疑いがある車の詳細に関する要求が該ブレスレットからページングされるように配列構成される。次に要求された情報は、該ブレスレットへページングバックされるか又はインターネットから取り寄せられる。この場合得られる利点は、１２個のヒンジ留めされたセグメントから構成されるブレスレットは、手首の周囲に畳込まれて、かくして所望ならば手首の周囲に情報を視認することが可能とすることが出来るが、同時に該セグメントがヒンジ留めされている事実によって、該ブレスレットは畳込みが展開されて平坦状の作動／プログラミング表面を形成することが出来、かくして最適のプログラミングが可能となる、ということが理解されるであろう。
【００６３】
かかる実施態様の一つの特殊な用途／使用法は、警察関係である。通常警察官は巡回柱又は車中であっても、常に情報を付与したり又取得したりするため無線に依存する。このことは、情報を第三者、即ちオペレーターを経由して交換・授受する必要があるため十分とはいえない。従って、重大な時間の遅れ、誤りや授与する情報量に関する制約が生じる。又かかる情報は、警察官によって記録されるか又は記憶されねばならない。本発明の一つの実施態様によれば、例えば警察官が疑わしい車の登録又は所有者をチェックする必要があった場合、その警察官は、このミニパーソナルコンピュータブレスレットに当該車両の登録番号をプログラムすればよいのである。次にかかる情報要求が、直接車両運転免許担当官庁へページされるか又はインターネット経由で送信されればよい。要求された詳細は全て、該ブレスレットコンピュータにページバックすることが出来、かくして大量の情報を送信し且つダウンロードすることが出来る。オペレーターを介して授受するための遅延は全くなく、またオペレーターが当該情報の解釈を間違えたりまた読み違えたりする可能性も全くない。
【００６４】
図５，６及び７は、修正・変更された実施態様を示す。図５は、ゲームステーション又は電子ゲームの形態とした、図３のブレスレットについての変型の平面図である。図６は、ブレスレットにゲームディスプレーを例として表示した、図５のブレスレットの平面図である。図７は、図６のゲームディスプレーに代えてスポーツ情報を例として表示した、図５のブレスレットの平面図である。  
【００６５】
図６，７及び８に示す例は、折畳みを展開したブレスレットを示す。これらのブレスレットは、個人の娯楽用のゲームステーション／プラットフォームとして特別に設計されたものである。図５は、表示画面１６及びゲームを操作するためのボタン又はその他の形状の制御器１９とを備えた基本形のブレスレットを示す。このような制御器１９は、画面１６とは独立していてもよく、又は逆に接触式画面の一部を形成していてもよい。その場合、この制御器は、ブレスレットが“ゲームモード”以外のモードにある場合は視認されることは無いであろう。
【００６６】
図６に示すのは、折畳みを展開したブレスレットで、例えば戦争型のゲームに使用中のブレスレットにおいてテキスト及び図形や人物を表示することが出来る。図７は、別のモードのゲームブレスレット、即ちページされた情報、この場合はスポーツの結果や情報を受信するページャーとしてブレスレットを示す。
【００６７】
例えば“ゲームボーイ”などの既存の電子ゲームは、堅牢であって、ポケット又はバッグなどに入れて搬送される必要があるので、容易に失う可能性があって、必ずしも容易に使用に供せられるものではない。本発明を具体化する畳込みを展開したゲームステーションは、手首に装着して搬送するので、さらに容易に利用可能となり、而も失う可能性はずっと少なくなる。図５ないし７において示したような幾つかの実施態様においては、ブレスレットは、情報（テキスト又は画像）を手首の周囲に通過させて、如何なる角度からも視認出来るようにするという付加された利点を有する。
【００６８】
図４乃至７から理解されるように、本発明の実施態様に関して特に好ましい特徴は、１６において一般的に表示された表示装置が、該ブレスレットの少なくとも二つのセグメント、好ましくはブレスレットの多くのセグメントに渉って伸展し、また該表示装置の少なくともいくつかの隣接するセグメントが、相互に視覚的に関連づけられる結果、関連づけられたセグメントに渉って伸展する情報の単一化された表示を提供することである。このことは、例えば図６において具体的に例示されており、この実施例においては、イメージ画像が一つ以上のセグメントに渉って伸展し且つ一体に組み合わされてゲームのためのコヒーレントで、均質な画像が得られる。
【００６９】
表示を形成することが出来る方法としては数多くのものがあり、通常好まれる形態は、当該表示装置が、個別に付勢された表示要素、好適にはテレビジョン表示におけるピクセルから構成される視覚イメージを提供することである。
【００７０】
図8は、図1における図に相当する、本発明を具体化するブレスレットの斜視図であって、その形態においては、情報が該ブレスレットの長さ方向を横切った方向において表示されている。図9は、図8のブレスレットを平坦状に展開した場合の平面図であって、英数字キーボードの代わりに情報をメニュ選択を備えた接触画面を介して入力する形態を示す。
【００７１】
図9において示すように  該ブレスレットは、折畳みを展開すると“ノートパッド”型パームトップコンピュータを形成する。情報は、スタイラス１９Ａを経由して入力される。手書きされたテキストは次いで、公知の手書き認識ソフトウエアによって英数字テキストに変換される。図9において示した例は、警察による使用を見込んだものである。該ブレスレットは、通常は手首の周囲に装着され、次いで折畳みを展開すると、作動プラットフォームを形成する。情報は、従来公知のペーパーパッドとペンを用いて通常行われるのと同様に入力される。しかしながら、この実施態様においては、情報を当該装置からまた当該装置へページすることが出来、および報告書又は他の問題を完了した場合情報をパーソナルコンピュータへダウンロードすることが出来るという利点が得られる。
【００７２】
プログラミングを容易にするために、ここで示す実施例は、表示スクリーンが当該ブレスレットの全長に沿って伸長することがないように構成される。従って、該ブレスレットを手首に装着した場合、情報は、手首の周囲全体に巡回することは不可能である。図9の実施例は、図1の領域“Ｂ”において手首に固定される。
【００７３】
図9は、もう一つの実施例を示すが、この実施例においては、表示装置１６は、該ブレスレットの多くのセグメントに渉って伸展し、また該表示装置の隣接するセグメントが相互に視覚的に関連づけられる結果、関連づけられたセグメントに渉って伸展する情報の単一化された表示を提供するのである。
【００７４】
図10は、図9に示された実施態様一つの変形であって、ＱＵＥＲＴＹ型キーパッド１７を介してプログラム出来るパーソナルオーガナイザー／ミニパーソナルコンピュータの形態としたものを示す。この実施例もやはり、手首全体の周囲を情報が循環することを可能とするものではない。該ブレスレットもまた、図1の領域Ｂにおいて固定される。
【００７５】
寸法・大きさについて言えば、手首の平均周囲長は、ほぼ１７０ｍｍである。好適には、該ブレスレットは、断面深さがほぼ4又は５ｍｍである。該ブレスレットの外表面長は、好適には２００ｍｍである。該ブレスレットの幅は、大きすぎてはいけないのであって、そうでなければ、手首から前腕部にまで伸展することになるであろう。好適には、該ブレスレットの幅は、６０乃至７０ｍｍとするべきである。
【００７６】
好適には、該ブレスレットは、図に示すように１２個のヒンジ留めされたセグメントから成っていてもよく、その数は、該ブレスレットを手首に装着した場合できるだけ表面が円滑となるように選択される。しかしながら、他の実施態様においては、ヒンジとめされたセグメントは６、８又は１０とすることや又は別の数とすることが可能である。セグメントの数が偶数であると、形状は対称となるが、必要ならば、該ブレスレットは、例えばヒンジとめされたセグメントの数は５つとしてもよい。ヒンジ留めされたセグメントを同一のサイズとすることは必要ではない。事実、手首の側面を周回するセグメントが、手首の上端と下端を超えて伸展するセグメントよりも小さくすることは、有用であるかもしれない。
【００７７】
ブレスレットのセグメントは、ヒンジ留めされてその結果、該ブレスレットがユーザーの手首の周囲で折畳められた第一の手首装着形状構成と該ブレスレットが、入力装置を介して情報を入力するためにユーザーによって平坦状に配置された第二の平坦形状構成との間をセグメントが移行することを可能とする。
【００７８】
図１１は、図2に示すブレスレットの隣接するセグメント１２Ａの間における連結部の詳細図を示す。図１２は、図１１の構成成分に相当する、ブレスレットのセグメント１２Ａと連結リンク２１の分解図を示す。図１３は、ブレスレットの隣接するセグメントをユーザーが装着した場合と同様に一体に閉止した場合、図１１の構成成分を示す。図１４及び１５は、指及び図１１に示されたセグメントと連結部品との相互作用の詳細図を示す。
【００７９】
図１１は、図１に示した傾斜連結部１３Ａの概略端面図を示す。これら二つのセグメント１２Ａは、連結リンク２１によってヒンジ留めされるが、このリンクは、セグメント形状とした平面プレートであって、セグメントの点は、セグメント１２Ａの隣接する面の連結部２６に位置する。図１２及び１２ａにおいて示すように、リンク２１は、面に対して垂直に伸展する４つのスタッド２２を有するが、該スタッドは、セグメント１２Ａの端面２４の下側にある溝２３に位置する。これらの溝２３は、独特なものであり、セグメント１２Ａの隣接する面１４の間に連結部２６を中心とする円の上に位置する。図１１及び１３において示すように、セグメント１２Ａが軸２６の周囲において枢動することは、溝２３に沿って移動するスタッド２２によって実行される。この配列構成は、外面１４が、平坦状態にある場合とブレスレットを手首に装着した場合の双方において突合せすることになり、その結果ブレスレットから連続状の表示表面が得られる、という利点がある。
【００８０】
図１１に示す配列構成は、隣接するセグメント１２Ａが、平坦形状構成となった場合相互に完全に固定されるように修正・変更されてもよい。例として、ブレスレットは、隣接するセグメント１２Ａの間において、手動により操作することによってセグメントを動かないような完全固定状態に締結する留め具（図示していない）を包含しても良い。図12に示すような別の配列構成においては、ピン２２Ａをセグメント１２Ａの端面２４にある孔２２Ｂを通してスタッド２２の孔２２Ｃ内に挿入して、これらのセグメントを固定することが出来る。
【００８１】
しかしながら、既述したようにかかる締結ピンは、一つの変形である。他の配列構成においては、かかるスタッド及び溝は、摩擦のみによってブレスレットに剛性を付与する可能性がある。
【００８２】
図１４及び１５において示すように、また別の配列構成においては、各溝２３の内部ガイド表面２７に制止突出部２５が設けられてもよいが、この突出部にスタッド２２を配置させて、かくしてブレスレットを手首に装着するための強固に固定された折畳み平坦位置と強固に固定された位置とが得られる。即ち、構成成分２２及び２５は、ブレスレットの一対の隣接するセグメント間において作動する締結機構を形成し、かくして該隣接セグメントを前記平坦状にした位置に成った場合固定状態に解除可能に締結するのである。平坦状位置においては、制止機構は弾力によって隣接するセグメントを前記した平坦状に固定された状態に偏奇させるが、この弾力性偏奇に抗した手動運動によって手首の周囲に折畳めるように解除を行うことも出来る。即ち、上記した実施態様においては、ブレスレットは、通常の情報入力の過程において平坦状形状構成にセグメントを一体に連結するための継手成分を包含していてもよい。
【００８３】
一例を挙げれば、上記した該制止機構によって付与された剛性は、平坦形状構成においてブレスレットが、該ブレスレットの１／３を把持することによって片持ち梁状に保持された場合セグメントの相互間の移動・運動を防止するに充分に堅牢となるように選択してもよい。
【００８４】
必要な剛性を付与するために明確な制止機構を設けることは、必須ではない。いくつかの配列構成においては、セグメント間に設けたヒンジは、異なる形状構成において均等な剛性を付与する、剛性のあるヒンジでさえあればよい。そうであれば、第一の手首装着構成であれまた第二の平坦構成であれ、ユーザーは、必要な位置にまでブレスレットを折り曲げることになろう。剛性を正確に選択するとすれば、ブレスレットは、手首上であっても又は平坦形状構成に片持ち梁に保持された場合でも上記した機能を発揮することが出来る。
【００８５】
ブレスレットが、手首に該ブレスレットを保持するため強固に固定された位置を有することは、必須ではない。いくつかの配列構成においては、手首に装着した場合セグメントを自由にヒンジ留めされた状態にしたまま、少なくともいくつかのセグメントを平坦状態に締結する締結機構を設けてもよい。
【００８６】
外面１４が突合せとなる特徴によって、ブレスレットを手首に装着した場合表示される移動情報を手首の周囲で継ぎ目無しで移動するように見えること、即ち当該情報が一つのヒンジ留めされたセグメントから別のセグメントへ飛ぶように見えないことになる。同様に、これによって、衣服が、傾斜面１３Ａの内側端に引っかかるのが防止される。
【００８７】
次に本発明の更なる別の実施態様であって、ブレスレットが携帯電話として機能する実施態様を記載することとする。図１７乃至２１は、一つのセグメント１２Ｓが電話の受話器を形成しまた他のセグメント１２Ｍが電話の送話器を形成する、本発明を具体化するブレスレットを示す。図１Ａに示すように、ブレスレットを携帯電話として機能させるための送信機と受信機１８が設けられる。一般的に言って、図１７乃至２２における構成成分が、それまでに示した図における構成成分に相当する場合、当該構成成分は同じ参照番号によって示される。
【００８８】
図１９において示すように、ブレスレット１１のセグメント１２は、ヒンジ留めされて、ブレスレットが第三の電話形状構成へ移行させられるのであるが、かかる構成においては、電話受話器１２Ｓと電話送話器１２Ｍを、図２０において示すようにユーザーの耳と口を基準として、通常の電話操作位置に配置させることが出来る。図19において示すように、この第三の電話形状構成において、ブレスレット１１は、彎曲された形状構成に成形される。他の配列形成においては、ブレスレットの中央部は、平坦形状構成に保持されていて、ブレスレットの二つの端部のみが、傾斜した状態に保持されれば良い。
【００８９】
次にかかる実施態様の詳細を考慮するが、図１７は、１１のセグメントのブレスレットを平坦な動作プラットフォーム、即ち第二の平坦な形状構成に展開したものを示す。これは、英数字及び図表データの入力に最も適し且つ可視データ及び画像認識に最も適したブレスレットの形状構成である。図示したブレスレットは一端において、ブレスレットで受信した可聴音声信号を増幅するための受話器１２Ｓ内のスピーカー３０を包含している。該ブレスレットの他端においては、音声信号を選別しデジタル信号に変換するため  送話機１２Ｍ内のマイクロホン３１が設けられる。このマイクロホンとスピーカー３１及び３２とは、ブレスレットの側面部には配置されるが、これは、平坦形状構成においてはブレスレットの上側であり、即ち表示装置と入力装置１６，１７が位置する側である。ブレスレットのこの側面は、ブレスレットが第一の手首装着形状構成となった場合は外側である。好ましくは、マイクロホンとスピーカーとは、手首の皮膚に接触するため、ブレスレットの下側又は内側に位置することはない。皮膚との接触は、ブレスレットを手首の周囲に装着した場合、スピーカーを弱音又は消音させる効果を生じるであろう。しかしながら、スピーカーとマイクロホンとをブレスレットの上端又は外側に取り付ける配列構成が好ましいのであるが、これらをブレスレットの下側に取り付ける場合の機械的な利点は、必要とされるヒンジ配列が、それほど複雑とならない点にある。
【００９０】
図１８は、１１のセグメントのブレスレットを手首に装着して連結した場合の端面図として示す。このブレスレットは、手首の異なる位置で固定することが可能であるが、好ましい配列構成は、図１の実施態様に関連して議論したように点Ａ又は点Ｂにおいて連結部を有する。特に好ましい配列構成は、点Ａにおける連結部を有するものであって、この理由は、この実施態様においては、中心セグメント１２Ｘが、他のセグメントよりも大型となっていることである。かかる配列構成は、図１８において連結部Ａに対向する位置においてセグメントが大型となるため、上記した他の実施態様の全てにおいても利用することが出来る。このことは、腕時計によって通常占められる位置であり、手首装着位置とした場合手首の上端において情報交換領域の内特に便利な大きな中央領域が得られる。
【００９１】
図１８は、ブレスレット１１を手首の周囲に装着した場合スピーカー３０とマクロホン３１の相対的位置を示すが、この場合、これらは隣接するセグメントを占めることになるはずである。ブレスレットを位置Ｂ又は他の点に固定する場合、この形状構成は、スピーカーとマイクロホンを適当に配置させるように、例えばスピーカーとマイクロホンを結合点の両側の隣接セグメント上に常に配設させるように修正する必要があるであろう。
【００９２】
図１９は、“Ｃ”型形状に移行させた、図１７及び１８のブレスレット１１の側面図を示す。この“Ｃ”型形状は、ブレスレットを手首から外し、次いで重なるように折り曲げることによって実現される。かかる形状を実現するためには、ユーザーは、ブレスレットを完全な平坦形状に配列させる必要はない。最終的な“Ｃ”型形状は効率的には、平坦展開形状から更に折り曲げることである。
【００９３】
スピーカーとマイクロホンとをブレスレットの下側に位置させたまた別の形状（ここには図示しない）においては、図１９の“Ｃ”型形状は更に迅速且つ容易に実現することが出来ることを理解するべきである。これは、スピーカーとマイクロホンとをブレスレットの下側に位置させた場合に“Ｃ”型形状が必要となるが、手首の周囲で折畳んだブレスレット形状とブレスレットの平坦形状との中間位置であるのが効率的であるからである。かかる場合、この“Ｃ”型形状は、ブレスレットを手首から外してはいるものの、平坦形状に展開しない場合に実現される中間形状となる。
【００９４】
図２０は、図１７，１８及び１９のブレスレットを携帯電話として使用した場合ユーザーの顔面に対して保持した状態を示す。マイクロホン３１とスピーカー３０とは、やはりブレスレットの外側又は上側、即ち表示装置と入力装置とによって占められる側面に位置することになる。
【００９５】
図２１は、図１１の構成成分に相当する３点ヒンジであって、図１８と１９の“Ｃ”型形状構成を実現させるように修正・変形させたものを示す。相互に重なるように折り曲げて、図１９の好ましい“Ｃ”型形状を形成させた二つのセグメント１２を示す。図２１のヒンジは、図１４と１５に示すヒンジとは、今回は３つのセットの制止突出部（図２２に示す）が存在する点で異なる。一つのセットは、強固な手首装着形状構成を実現するために適用可能である。第二のセットは、平坦に展開した形状構成の実現を容易にさせる。第三のセットは、“Ｃ”型形状の実現を容易にさせる。
【００９６】
これら３つのセットの制止装備は、電話の形状構成のための“Ｃ”型形状に固締することが出来るブレスレットについても必須でないことに注目されるべきである。このことは、ブレスレットは、ブレスレットの二つの端部を一体に固定するための装備がある限り、第一の手首装着形状構成に締結する現実的な必要性が全くないからである。このブレスレットは、従来公知の、自由にヒンジ留めされた形状構成として手首に装着し、留め金で固定することが出来る。これは、ブレスレットを第二の平坦形状構成又は第三の電話形状構成に締結する前に、手首から取り外すことを一層容易に且つ迅速にするという利点がある。手首に装着した場合にヒンジ留めが緩い形状構成の利点も、上記した他の実施態様においても第三の電話構成とすることなく適用可能である。
【００９７】
次に制止配列機構の詳細を考察するならば、図２２は、３つのセットの制止突出部２５Ａ，２５Ｂ及び２５Ｃを示す。下側の第三のセットは、マイクロホン３１とスピーカー３０が、表示装置と入力装置と共にブレスレットの上側又は外側に配置された場合、電話形状構成の“Ｃ”型形状の実現を可能ならしめる。第一のセットの、最上部の制止突出部２５Ａは、手首に装着した場合自然型のブレスレットの実現を容易にする。手首装着形状構成において、セグメント面１３Ａは、可能な限り相互に接近する。第二のセットの制止突出部２５Ｂは、次の形状構成、即ち第二の平坦な展開された形状構成に係わる。第三で且つ最後のセットの制止突出部２５Ｃは、第三の電話形状構成に係わる。この後者の形状構成においては、セグメントの側面１３Ａは、相互に最も遠隔に隔離される。これに相応して、セグメントの上面又は下面１４は、最も接近・近接して、相互に重なるように曲げられるのである。
なお、本願明細書には次の発明の開示も含まれている。
１.  ブレスレットであって、
−  該ブレスレットをユーザーの手首の周囲に折畳み出来るように一体にヒンジ留めされた４ないしそれ以上のセグメントの複数群、
−  入力された情報を受信し且つ情報を表示するための表示信号を生成させるための情報処理装置、
−  該情報処理装置から派生された情報を表示するための表示装置、及び
−  入力装置との手動相互動作によって該情報処理装置への情報入力を行うための情報入力装置、
を含んで成る情報表示と入力機能を備え、さらに、
−  該ブレスレットの外表面は、該表示装置が占める領域と該入力装置が占める領域とを組み合わせて含んで成る情報交換領域であって、該ブレスレットの２つ以上のセグメント上を伸展する情報交換領域を有するものであり、
−  該ブレスレットのセグメントがヒンジ留めされて、該ブレスレットがユーザーの手首の周囲で折畳まれることが出来る第一の手首装着形状構成と該ブレスレットがユーザーによって平坦状に配置されて、該入力装置を経由した情報入力が行われる第二の平坦形状構成との間を該セグメントが移行可能にされており、
−  また、該情報交換領域は、該ブレスレットの全長方向に対して直角方向であって且つ該ブレスレットの全長の少なくとも１０％である幅員を有するものであること、
を特徴とするブレスレット。
２.ブレスレットであって、
−  該ブレスレットをユーザーの手首の周囲に折畳み出来るように一体にヒンジ留めされた４ないしそれ以上のセグメントの複数群、
−  入力された情報を受信し且つ情報を表示するための表示信号を生成させるための情報処理装置、
−  該情報処理装置から派生された情報を表示するための表示装置、及び
−  入力装置との手動相互動作によって該情報処理装置への情報入力を行うための情報入力装置、
を含んで成る情報表示と入力機能を備え、さらに、
−  該ブレスレットの外表面は、該表示装置が占める領域と該入力装置が占める領域とを組み合わせて含んで成る情報交換領域であって、該ブレスレットの２つ以上のセグメント上を伸展する情報交換領域を有するものであり、
−  該ブレスレットのセグメントがヒンジ留めされて、該ブレスレットがユーザーの手首の周囲で折り畳まれることが出来る第一の手首装着形状構成と該ブレスレットがユーザーによって平坦状に配置されて、該入力装置を経由した情報入力が行われる第二の平坦形状構成との間を該セグメントが移行可能にされており、
−  該情報交換領域が、該ブレスレットの全長方向に対して直角方向において狭長であり、また該情報入力装置が、アルファベットの文字をそれぞれ表わす手動操作可能な領域の一つの配列を含んでおり、該キー領域の配列が、該ブレスレットの全長に沿って整列されるものであること、
を特徴とするブレスレット。
３.  ブレスレットであって、
−  該ブレスレットをユーザーの手首の周囲に折畳み出来るように一体にヒンジ留めされた４ないしそれ以上のセグメントの複数群、
−  入力された情報を受信し且つ情報を表示するための表示信号を生成させるための情報処理装置、
−  該情報処理装置から派生された情報を表示するための表示装置、及び
−  入力装置との手動相互動作によって該情報処理装置への情報入力を行うための情報入力装置、
を含んで成る情報表示と入力機能を備え、さらに、
−  該ブレスレットの外表面は、該表示装置が占める領域と該入力装置が占める領域とを組み合わせて含んで成る情報交換領域であって、該ブレスレットの２つ以上のセグメント上を伸展する情報交換領域を有するものであり、
−  該ブレスレットのセグメントがヒンジ留めされて、該ブレスレットがユーザーの手首の周囲で折り畳まれることが出来る第一の手首装着形状構成と該ブレスレットがユーザーによって平坦状に配置されて、該入力装置を経由した情報入力が行われる第二の平坦形状構成との間を該セグメントが移行可能にされており、
−  該情報交換領域が、該ブレスレットの全長方向に対して直角方向において狭長であり、また該情報入力装置が、アルファベットの文字をそれぞれ表わす手動操作可能な領域の一つの配列を含んでおり、該キー領域の配列が、該ブレスレットの全長を横切って整列されるものであること、
を特徴とするブレスレット。
４.  ブレスレットであって、
−  該ブレスレットをユーザーの手首の周囲に折畳み出来るように一体にヒンジ留めされた４ないしそれ以上のセグメントの複数群、
−  入力された情報を受信し且つ情報を表示するための表示信号を生成させるための情報処理装置、
−  該情報処理装置から派生された情報を表示するための表示装置、及び
−  入力装置との手動相互動作によって該情報処理装置への情報入力を行うための情報入力装置、
を含んで成る情報表示と入力機能を備え、さらに、
−  該ブレスレットの外表面は、該表示装置が占める領域と該入力装置が占める領域とを組み合わせて含んで成る情報交換領域であって、該ブレスレットの２つ以上のセグメント上を伸展する情報交換領域を有するものであり、
−  該ブレスレットのセグメントがヒンジ留めされて、該ブレスレットがユーザーの手首の周囲で折り畳まれることが出来る第一の手首装着形状構成と該ブレスレットがユーザーによって平坦状に配置されて、該入力装置を経由した情報入力が行われる第二の平坦形状構成との間を該セグメントが移行可能にされており、
−  該表示装置が、該ブレスレットの二つ又はそれ以上のセグメントに渉って伸展し、且つ個別に付勢される表示要素から構成される可視・光学画像を提供するよう配列されること、
を特徴とするブレスレット。
５.  ブレスレットであって、
−  該ブレスレットをユーザーの手首の周囲に折畳み出来るように一体にヒンジ留めされた４ないしそれ以上のセグメントの複数群、
−  入力された情報を受信し且つ情報を表示するための表示信号を生成させるための情報処理装置、
−  該情報処理装置から派生された情報を表示するための表示装置、及び
−  入力装置との手動相互動作によって該情報処理装置への情報入力を行うための情報入力装置、
を含んで成る情報表示と入力機能を備え、さらに、
−  該ブレスレットの外表面は、該表示装置が占める領域と該入力装置が占める領域とを組み合わせて含んで成る情報交換領域であって、該ブレスレットの２つ以上のセグメント上を伸展する情報交換領域を有するものであり、
−  該ブレスレットのセグメントがヒンジ留めされて、該ブレスレットがユーザーの手首の周囲で折り畳まれることが出来る第一の手首装着形状構成と該ブレスレットがユーザーによって平坦状に配置されて、該入力装置を経由した情報入力が行われる第二の平坦形状構成との間を該セグメントが移行可能にされており、
−  該表示装置が、該ブレスレットの少なくとも二つのセグメントに渉って伸展するに際して、該表示装置の少なくとも幾つかのセグメントが相互に可視状態に関連づけられて、かくして関連セグメント上に伸展する情報の単一化表示を提示すること、
を特徴とするブレスレット。
６.  ブレスレットであって、
−  該ブレスレットをユーザーの手首の周囲に折畳み出来るように一体にヒンジ留めされた４ないしそれ以上のセグメントの複数群、
−  入力された情報を受信し且つ情報を表示するための表示信号を生成させるための情報処理装置、
−  該情報処理装置から派生された情報を表示するための表示装置、及び
−  入力装置との手動相互動作によって該情報処理装置への情報入力を行うための情報入力装置、
を含んで成る情報表示と入力機能を備え、さらに、
−  該ブレスレットの外表面は、該表示装置が占める領域と該入力装置が占める領域とを組み合わせて含んで成る情報交換領域であって、該ブレスレットの２つ以上のセグメント上を伸展する情報交換領域を有するものであり、
−  該ブレスレットのセグメントがヒンジ留めされて、該ブレスレットがユーザーの手首の周囲で折り畳まれることが出来る第一の手首装着形状構成と該ブレスレットがユーザーによって平坦状に配置されて、該入力装置を経由した情報入力が行われる第二の平坦形状構成との間を該セグメントが移行可能にされており、
−  該表示装置が、該ブレスレットの少なくとも３つのセグメントに渉って伸展し、また該情報入力装置も、該ブレスレットの少なくとも３つのセグメントに渉って伸展し、
−  該情報交換領域が、該ブレスレットの長さ方向において狭長であり、また該情報交換領域が、ブレスレットの通常可視状態となる外面の少なくとも５０％に渉って伸展し、該ブレスレットの全長方向に対して直角方向であって且つ該ブレスレットの全長の少なくとも３０％である幅員を有するものであり、また
−  該ブレスレットは、該ブレスレットを通常の情報入力過程において少なくとも平坦形状構成に実質的に固定して保持する態様で該セグメントを連結するための継手成分を包含すること、
を特徴とするブレスレット。
７.  ブレスレットであって、
−  該ブレスレットをユーザーの手首の周囲に折畳み出来るように一体にヒンジ留めされた４ないしそれ以上のセグメントの複数群、
−  入力された情報を受信し且つ情報を表示するための表示信号を生成させるための情報処理装置、
−  該情報処理装置から派生された情報を表示するための表示装置、及び
−  入力装置との手動相互動作によって該情報処理装置への情報入力を行うための情報入力装置、
を含んで成る情報表示と入力機能を備え、さらに、
−  該ブレスレットの外表面は、該表示装置が占める領域と該入力装置が占める領域とを組み合わせて含んで成る情報交換領域を有するものであり、
−  該ブレスレットのセグメントがヒンジ留めされて、該ブレスレットがユーザーの手首の周囲で折り畳まれることが出来る第一の手首装着形状構成と該ブレスレットがユーザーによって平坦状に配置されて、該入力装置を経由した情報入力が行われる第二の平坦形状構成との間を該セグメントが移行可能にされており、
−  該ブレスレットは、該ブレスレットを通常の情報入力過程において少なくとも平坦形状構成に実質的に固定して保持する態様で該セグメントを連結するための継手成分を包含し、また第一の形状構成において、該セグメントが、２８０度より大きい角度間隔を形成する経路の周囲に伸展し、
−  該情報交換領域が、第一の手首装着位置になった場合ブレスレットの通常可視状態となる外面の少なくとも５０％に渉って伸展すること、
を特徴とするブレスレット。
８.  ブレスレットを操作する方法であって、
−  ブレスレット内に実装された情報処理装置に該ブレスレットに実装された入力装置との手動相互動作によって情報を入力すること、及び
−  ユーザーの手首周囲に折畳み出来るように一体にヒンジ留めされた複数のセグメントを含んで成るブレスレットが、ユーザーの手首に装着されている状態で、情報処理装置から派生された情報を該ブレスレットの表示装置に表示すること、
を含んで成る情報表示と入力機能を備え、さらに、
−  ブレスレットがユーザーの手首に装着された状態で該表示装置に情報を表示し、また該ブレスレットがユーザーによって平坦上に配列された場合、該情報入力装置との手動相互作用により情報処理装置に情報を入力すること、
−  該表示装置及び該入力装置とが併せて占める領域が該ブレスレットの２つ以上のセグメントに渉って伸展すること、
―  該方法は、該ユーザーの面前で、該ユーザーの視野を横断して伸展するブレスレットの全長と直角方向において該ブレスレットを第二の平坦形状構成に位置させること及び前記直角方向において該入力装置との手動相互作用により情報を入力させることを包含して成ること、
を特徴とする方法。
９.  ブレスレットを操作する方法であって、
−  ブレスレット内に実装された情報処理装置に該ブレスレットに実装された入力装置との手動相互動作によって情報を入力すること、及び
−  ユーザーの手首周囲に折畳み出来るように一体にヒンジ留めされた複数のセグメントを含んで成るブレスレットが、ユーザーの手首に装着されている状態で、情報処理装置から派生された情報を該ブレスレットの表示装置に表示すること、
を含んで成る情報表示と入力機能を備え、さらに、
―  ブレスレットがユーザーの手首に装着された状態で該表示装置に情報を表示し、また該ブレスレットがユーザーによって平坦上に配列された場合、該情報入力装置との手動相互作用により情報処理装置に情報を入力すること、
−  但し、該表示装置及び該入力装置とが併せて占める領域が該ブレスレットの２つ以上のセグメントに渉って伸展すること、
―  該方法は、該ブレスレットを手首から外し、該ブレスレットのセグメントを、該セグメントが相互に少なくとも実質的に固定状態に保持する平坦形状構成に移行させる工程、及び該ブレスレットをその全長の一部のみで保持し、その残部は該平坦形状構成に少なくとも実質的に保持しながら、入力装置を介して情報を入力する工程とを包含するものであること、
を特徴とする方法。
１０.  ブレスレットを操作する方法であって、
−  ブレスレット内に実装された情報処理装置に該ブレスレットに実装された入力装置との手動相互動作によって情報を入力すること、及び
−  ユーザーの手首周囲に折畳み出来るように一体にヒンジ留めされた複数のセグメントを含んで成るブレスレットが、ユーザーの手首に装着されている状態で、情報処理装置から派生された情報を該ブレスレットの表示装置に表示すること、
を含んで成る情報表示と入力機能を備え、さらに、
―  ブレスレットがユーザーの手首に装着された状態で該表示装置に情報を表示し、また該ブレスレットがユーザーによって平坦上に配列された場合、該情報入力装置との手動相互作用により情報処理装置に情報を入力すること、
−  該表示装置及び該入力装置とが併せて占める領域が該ブレスレットの２つ以上のセグメントに渉って伸展すること、
―  該表示装置が、該ブレスレットの２つ以上のセグメントに渉って伸展し、且つ該方法が、該表示装置の少なくとも幾つかのセグメントが相互に可視状態に関連づけられて、かくして可視状態で関連づけられたセグメント上に伸展する情報の単一化表示を提示するに到る平坦形状構成に、該表示装置の少なくとも二つのセグメントを移行させることを包含するものであること、
を特徴とする方法。
【先行技術文献】
【特許文献】
【００９８】
【特許文献１】WO 96/21888
【特許文献２】US-A-5,260,915公報
【特許文献３】US4,141,074公報
【特許文献４】DE-A-3,508,365公報
【特許文献５】FR-2A-2360114公報
【特許文献６】US-A-5,416,730公報
【特許文献７】SE-A-3813409公報
【特許文献８】DE-29912001公報
【特許文献９】FR-A-2,599,867公報
【特許文献１０】US-A-5,214,623公報
【特許文献１１】US-A-5,251,189公報
【符号の説明】
【００９９】
１０   情報交換領域
１１   ブレスレット
１２   セグメント
１２Ａ セグメント
１２Ｂ セグメント
１２Ｍ セグメント（電話受話器）
１２Ｓ セグメント（電話受話器）
１２Ｘ 中心セグメント
１３   側面
１３Ａ 傾斜連結部（セグメント面）
１３Ｂ 側面
１４   主要外面
１５   情報処理装置
１６   表示装置（表示画面）
１７   情報入力装置（入力手段）
１８   受信機
１９   制御器
１９Ａ スタイラス
２０   キー
２１   連結リンク
２２   スタッド（構成成分）
２２Ａ      ピン
２２Ｂ      孔
２２Ｃ      孔
２３   溝
２４   端面
２５   制止突出部
２５Ａ，２５Ｂ、２５Ｃ      制止突出部
２６   連結部
２７   内部ガイド表面
３０   スピーカー
３１   マイクロホン
【図１】
0005567467.tif 000002
【図２】
0005567467.tif 000003
【図３】
0005567467.tif 000004
【図４】
0005567467.tif 000005
【図５】
0005567467.tif 000006
【図６】
0005567467.tif 000007
【図７】
0005567467.tif 000008
【図８】
0005567467.tif 000009
【図９】
0005567467.tif 000010
【図１０】
0005567467.tif 000011
【図１１】
0005567467.tif 000012
【図１２】
0005567467.tif 000013
【図１３】
0005567467.tif 000014
【図１４】
0005567467.tif 000015
【図１５】
0005567467.tif 000016
【図１６】
0005567467.tif 000017
【図１７】
0005567467.tif 000018
【図１８】
0005567467.tif 000019
【図１９】
0005567467.tif 000020
【図２０】
0005567467.tif 000021
【図２１】
0005567467.tif 000022
【図２２】
0005567467.tif 000023